(57)【要約】【課題】サムネール画像の一覧表示を可及的に高速化する。【解決手段】読取り装置ＲＤにセットされた記録媒体ＭＤから読出された前記サムネール画像をモニタ３２に一覧表示させる画像表示用プログラムにおいて、読取り装置ＲＤよりもデータの読取り速度が高速なデータ記録装置に、前記読取り対象の記録媒体ＭＤに記録されている情報と設定対応関係を有する記録媒体特定用識別情報が記録されていないときは、前記読取り対象の記録媒体ＭＤを一意的に特定するための記録媒体特定用識別情報を生成して、その記録媒体特定用識別情報と前記読取り対象の記録媒体ＭＤから読取ったサムネール画像とを対応付けて前記データ記録装置へ記録保存し、サムネール画像の一覧表示を前記データ記録装置のデータで表示させるようにする。【選択図】図１
2006285834.tif 000002
【特許請求の範囲】
【請求項１】
複数の画像とそれらの画像のサムネール画像とが記録された記録媒体が取り出し可能に読取り装置にセットされた状態で、その記録媒体から読出された前記サムネール画像をモニタに一覧表示させる画像表示用プログラムであって、
前記読取り装置よりもデータの読取り速度が高速なデータ記録装置に、前記読取り装置にセットされている読取り対象の記録媒体に記録されている情報と設定対応関係を有する記録媒体特定用識別情報が記録されていないときに、前記読取り対象の記録媒体に記録されている情報と前記設定対応関係を有する前記記録媒体特定用識別情報を生成して、その記録媒体特定用識別情報と前記読取り対象の記録媒体から読取ったサムネール画像とを対応付けて前記データ記録装置へ記録保存するように構成され、
前記読取り対象の記録媒体に記録されている前記サムネール画像を一覧表示させるように指示されたときに、
前記読取り対象の記録媒体に記録されている情報と設定対応関係を有する記録媒体特定用識別情報が前記データ記録装置に記録されているときは、その記録媒体特定用識別情報と対応付けて記録されている前記サムネール画像を前記データ記録装置から読出して、前記モニタに前記サムネール画像の一覧表示を表示させるように構成されている画像表示用プログラム。
【請求項２】
前記読取り対象の記録媒体に記録されている前記サムネール画像を一覧表示させるように指示されたときに、
前記データ記録装置に、前記読取り対象の記録媒体に記録されている情報と設定対応関係を有する記録媒体特定用識別情報が記録されていないときは、前記読取り対象の記録媒体から前記サムネール画像を読取って前記モニタに一覧表示を表示させると共に、前記読取り対象の記録媒体に記録されている情報と前記設定対応関係を有する前記記録媒体特定用識別情報を生成して、その記録媒体特定用識別情報と前記読取り対象の記録媒体から読取ったサムネール画像とを対応付けて前記データ記録装置へ記録保存するように構成されている請求項１記載の画像表示用プログラム。
【請求項３】
前記画像及び前記サムネール画像の前記記録媒体への書込み時に前記画像及び前記サムネール画像と共に前記記録媒体に記録されたその記録媒体に固有の識別情報を、その記録媒体の前記記録媒体特定用識別情報として前記データ記録装置へ書込むように構成されている請求項１又は２記載の画像表示用プログラム。
【請求項４】
前記記録媒体に記録されている、前記記録媒体における記録領域の管理用情報から前記記録媒体特定用識別情報を生成して前記データ記録装置に書込むように構成されている請求項１又は２記載の画像表示用プログラム。
【請求項５】
前記データ記録装置に書込まれた前記サムネール画像の総記憶量が設定量を超えたときに、前記サームネール画像の総記憶量が前記設定量に収まるように、記憶順序の古いものから前記サムネール画像を削除するように構成されている請求項１〜４のいずれか１項に記載の画像表示用プログラム。
【請求項６】
複数の画像と、それらの画像のサムネール画像と、請求項１〜５のいずれか１項に記載の画像表示用プログラムとが記録された記録媒体。
【発明の詳細な説明】
【技術分野】
【０００１】
本発明は、複数の画像とそれらの画像のサムネール画像とが記録された記録媒体が取り出し可能に読取り装置にセットされた状態で、その記録媒体から読出された前記サムネール画像をモニタに一覧表示させる画像表示用プログラム、及び、それを記録した記録媒体に関する。
【背景技術】
【０００２】
かかる画像表示用プログラムは、主に、下記特許文献１にも記載のような、写真プリント作製サービスにおける付帯サービスとして、ＣＤ等の記録媒体に画像を記録して顧客に提供する場合において、顧客がその記録媒体に記録された画像を閲覧するために使用するプログラムであり、その画像表示プログラムが画像データと共に記録媒体に書込まれた状態で顧客に提供される場合が多い。
このようなサービスでは、顧客に提供される記録媒体には、画像サイズの大きい高品質な画像の他に、それらの画像を縮小したサムネール画像も併せて記録され、画像表示プログラムには、顧客が閲覧したい画像を特定する作業を補助する等のために、サムネール画像をモニタに一覧表示させる機能が備えられている。
画像表示プログラムは、従来、前記一覧表示を実行させるたびに、読取り装置にセットされた記録媒体からサムネール画像を読出していた。
【特許文献１】特開２００４−１０４３９１号公報
【発明の開示】
【発明が解決しようとする課題】
【０００３】
しかしながら、この種のサービスで使用される記録媒体は、例えばＣＤ−Ｒ等のように極めて大容量の記録媒体が用いられるのが一般的であり、１つの記録媒体に数百〜数千というような大量の画像が記録されることもある。
個々のサムネール画像のデータ量は対応する本来の画像のデータ量に比べてかなり小さいものであるが、上記のように多量のサムネール画像を記録媒体から読出す場合には、記録媒体からサムネール画像を読出してモニタに一覧表示させるまでに長時間を要してしまい、顧客に不快感を与えてしまう。
本発明は、かかる実情に鑑みてなされたものであって、その目的は、サムネール画像の一覧表示を可及的に高速化する点にある。
【課題を解決するための手段】
【０００４】
本出願の第１の発明は、複数の画像とそれらの画像のサムネール画像とが記録された記録媒体が取り出し可能に読取り装置にセットされた状態で、その記録媒体から読出された前記サムネール画像をモニタに一覧表示させる画像表示用プログラムにおいて、前記読取り装置よりもデータの読取り速度が高速なデータ記録装置に、前記読取り装置にセットされている読取り対象の記録媒体に記録されている情報と設定対応関係を有する記録媒体特定用識別情報が記録されていないときに、前記読取り対象の記録媒体に記録されている情報と前記設定対応関係を有する前記記録媒体特定用識別情報を生成して、その記録媒体特定用識別情報と前記読取り対象の記録媒体から読取ったサムネール画像とを対応付けて前記データ記録装置へ記録保存するように構成され、前記読取り対象の記録媒体に記録されている前記サムネール画像を一覧表示させるように指示されたときに、前記読取り対象の記録媒体に記録されている情報と設定対応関係を有する記録媒体特定用識別情報が前記データ記録装置に記録されているときは、その記録媒体特定用識別情報と対応付けて記録されている前記サムネール画像を前記データ記録装置から読出して、前記モニタに前記サムネール画像の一覧表示を表示させるように構成されている。
【０００５】
すなわち、読取り装置にセットした記録媒体が、それまでにモニタに一覧表示を表示させたことのない初めての記録媒体であるときは、その記録媒体からサムネール画像を読出して、それらのサムネール画像をデータ読取り速度が高速のデータ記録装置に書込んで保存しておくことで、その後に、同じ記録媒体が読取り装置に再度セットされて、その記録媒体のサムネール画像を一覧表示させるときに、記録媒体からではなくデータ記録装置からその記録媒体についてのサムネール画像を高速に読出してモニタへ一覧表示させるのである。
この際に、読取り装置にセットされた記録媒体のサムネール画像がデータ記録装置に記録されているか否かの識別のために、記録媒体を一意的に特定するための記録媒体特定用識別情報をその記録媒体に記録されている情報から生成して、その記録媒体特定用識別情報も併せてデータ記録装置へ記録しておく。
【０００６】
又、本出願の第２の発明は、上記第１の発明の構成に加えて、前記読取り対象の記録媒体に記録されている前記サムネール画像を一覧表示させるように指示されたときに、前記データ記録装置に、前記読取り対象の記録媒体に記録されている情報と設定対応関係を有する記録媒体特定用識別情報が記録されていないときは、前記読取り対象の記録媒体から前記サムネール画像を読取って前記モニタに一覧表示を表示させると共に、前記読取り対象の記録媒体に記録されている情報と前記設定対応関係を有する前記記録媒体特定用識別情報を生成して、その記録媒体特定用識別情報と前記読取り対象の記録媒体から読取ったサムネール画像とを対応付けて前記データ記録装置へ記録保存するように構成されている。
すなわち、読取り装置にセットされた読取り対象の記録媒体を読取って、前記記録媒体特定用識別情報とサムネール画像とを前記データ記録装置へ記録保存する処理を、サムネール画像をモニタ表示させるための一連の操作の中に統合しているのである。
これによって、操作者は、サムネール画像の画像データの転送等の作業を全く意識することなく、サムネール画像の一覧表示の高速な閲覧が可能となる。
【０００７】
又、本出願の第３の発明は、上記第１又は第２の発明の構成に加えて、前記画像及び前記サムネール画像の前記記録媒体への書込み時に前記画像及び前記サムネール画像と共に前記記録媒体に記録されたその記録媒体に固有の識別情報を、その記録媒体の前記記録媒体特定用識別情報として前記データ記録装置へ書込むように構成されている。
すなわち、読取り装置にセットされた記録媒体について、過去にサムネール画像を一覧表示させた否かを特定するために、サムネール画像を一覧表示させた記録媒体についてはその記録媒体を一意的に特定するための記録媒体特定用識別情報もデータ記録装置に書込むのであるが、その識別情報の生成手法として、記録媒体に画像やサムネール画像の画像データを記録する際に、一緒に記録媒体に固有の識別情報を書込んでおき、その識別情報をそのまま前記記録媒体特定用識別情報としてデータ記録装置へ書込んで、データ記録装置からサムネール画像を読出すときの識別情報として利用するのである。
【０００８】
又、本出願の第４の発明は、上記第１又は第２の発明の構成に加えて、前記記録媒体に記録されている、前記記録媒体における記録領域の管理用情報から前記記録媒体特定用識別情報を生成して前記データ記録装置に書込むように構成されている。
すなわち、読取り装置にセットされた記録媒体について、過去にサムネール画像を一覧表示させた否かを特定するために、サムネール画像を一覧表示させた記録媒体についてはその記録媒体を一意的に特定するための前記記録媒体特定用識別情報もデータ記録装置に書込むのであるが、その識別情報の生成手法として、記録媒体に格別の識別情報を書込んでおくのではなく、記録媒体の仕様上必然的に記録媒体に記録される記録領域の管理用情報を利用して、その管理用情報から前記記録媒体特定用識別情報を生成し、それをデータ記録装置へ書込んで、データ記録装置からサムネール画像を読出すときの識別情報として利用するのである。
【０００９】
又、本出願の第５の発明は、上記第１〜第４のいずれかの発明の構成に加えて、前記データ記録装置に書込まれた前記サムネール画像の総記憶量が設定量を超えたときに、前記サームネール画像の総記憶量が前記設定量に収まるように、記憶順序の古いものから前記サムネール画像を削除するように構成されている。
すなわち、いかにデータ量の少ないサムネール画像と言えども、多数の記録媒体についてのサムネール画像がデータ記録装置に書込まれるようになると、コンピュータの他の処理に悪影響を及ぼす可能性もあり、好ましくない。
そこで、データ記録装置内におけるサムネール画像の総記憶量の許容値を設定しておき、その許容値に達すると古いサムネール画像のデータから順に削除するようにして、前記許容値を超えないようにするのである。
【００１０】
又、本出願の第６の発明は、記録媒体に、複数の画像と、それらの画像のサムネール画像と、上記第１〜第５のいずれかの発明の画像表示用プログラムとが記録されている。
従って、記録媒体の提供を受けた顧客が、その記録媒体の記録内容だけによってサムネール画像の一覧が可能となる。
【発明の効果】
【００１１】
上記第１の発明によれば、サムネール画像を既にデータ記録装置に記録保存した記録媒体を読取り対象とするときは、データ記録装置からその記録媒体についてのサムネール画像を高速に読出してモニタへ一覧表示させるので、モニタへのサムネール画像の一覧表示を可及的に高速化することができる。
又、上記第２の発明によれば、操作者は、サムネール画像の画像データの転送等の作業を全く意識することなく、サムネール画像の一覧表示の高速な閲覧が可能となるので、より一層使い易いものとなった。
又、上記第３の発明によれば、記録媒体に記録されている識別情報をそのまま前記記録媒体特定用識別情報としてデータ記録装置へ書込んで、データ記録装置からサムネール画像を読出すときの識別情報として利用するので、前記記録媒体特定用識別情報を生成するための処理負担を軽減することができる。
又、上記第４の発明によれば、記録媒体の仕様上必然的に記録媒体に記録される記録領域の管理用情報を利用して、その管理用情報から前記記録媒体特定用識別情報を生成し、それをデータ記録装置へ書込んで、データ記録装置からサムネール画像を読出すときの識別情報として利用するので、記録媒体への画像等の書込み作業のたびに識別情報を作製して、その識別情報も併せて記録媒体へ書込むという作業を無くすることができ、作業負担を軽減することができる。
【００１２】
又、上記第５の発明によれば、データ記録装置内におけるサムネール画像の総記憶量が過度に大きくならないようにして、コンピュータの他の処理に悪影響を及ぼすことを回避できる。
又、上記第６の発明によれば、記録媒体の提供を受けた顧客が、その記録媒体の記録内容だけによってサムネール画像の一覧が可能となり、より完成度の高いサービスを顧客に提供できるようになる。
【発明を実施するための最良の形態】
【００１３】
以下、本発明を利用した写真プリント作製処理サービスの実施の形態を図面に基づいて説明する。
本実施の形態で例示する写真プリント作製処理サービスは、デジタルカメラにて撮影された写真画像を記録したメモリーカードや撮影済みの写真フィルム等の画像ソースを顧客がプリントショップに持ち込むと、そのプリントショップにおいて、顧客が持ち込んだ上記画像ソースから写真プリントを作製すると共に、顧客の要望があれば写真プリントを作製した画像を記録媒体に書込み、その写真プリント及び記録媒体が顧客に提供される。尚、顧客が記録媒体の提供のみを要求すれば、記録媒体のみが顧客に提供される。
この顧客に提供される記録媒体には、上述のように写真プリントを作製した高品質の画像の画像データが記録される他、顧客が自己の所有するパーソナルコンピュータにてその記録媒体に記録された画像を閲覧するための画像表示用プログラム（本発明を適用したもの）も併せて記録され、更には、記録媒体に記録されている画像を一覧できるように、写真プリントを作製した各画像のサムネール画像も記録されている。
このように、画像表示用プログラムも併せて記録媒体に記録しておくことで、顧客が閲覧用のソフトウェアを用意しなくても記録媒体の画像を閲覧できるようにしている。
顧客に提供される記録媒体は、対応する装置（その記録媒体の読取り装置あるいは読み書き兼用装置）に対して随時にセット及び取り出しが自在であることが必須であり、本実施の形態では、顧客に提供する記録媒体としてＣＤ−Ｒメディアを例示して説明する。
【００１４】
プリントショップには、上記の写真プリントや記録媒体への画像の書込みのために、図２のブロック図及び図３の外観斜視図に示す写真プリントシステムＤＰが設置されている。
この写真プリントシステムＤＰは、いわゆるデジタルミニラボ機として知られているものであり、現像処理済みの写真フィルムやメモリーカード，光磁気ディスクあるいはＣＤ−Ｒ等から写真プリントを作製するための画像データを入力する画像入力装置ＩＲと、画像入力装置ＩＲにて入力された画像データに基づいて印画紙２に露光処理して写真プリントを作製する写真プリント装置ＥＰとから構成されている。
【００１５】
〔画像入力装置ＩＲの概略構成〕
画像入力装置ＩＲには、図２に概略的に示すように、写真フィルムの駒画像を読み取るフィルムスキャナ３と、メモリーカード読み書き装置，光磁気ディスクドライブ及びＣＤ−Ｒ／ＲＷドライブ等を備えた外部入出力装置４と、フィルムスキャナ３や外部入出力装置４から入力された画像データを補正処理する画像処理装置５と、フィルムスキャナ３や外部入出力装置４の制御のほか写真プリントシステムＤＰ全体の管理を実行する主制御装置６とが備えられ、更に、主制御装置６には、仕上がりプリント画像をシミュレートしたシミュレート画像や各種の制御用の情報を表示するモニタ６ａと、露光条件の手動設定等や制御情報の入力操作をするための操作卓６ｂ及びマウス６ｃとが接続されている。
【００１６】
〔写真プリント装置ＥＰの概略構成〕
写真プリント装置ＥＰは、筐体内部に、レーザビーム走査露光式の露光ユニット１３と、露光ユニット１３を制御する露光制御装置１４と、露光ユニット１３にて露光された印画紙２を現像処理する現像処理装置１５と、筐体上面に配置された印画紙マガジン１６から引き出された印画紙２を多数の搬送ローラ１７等にて現像処理装置１５へ搬送する印画紙搬送系ＰＴとが設けられている。
写真プリント装置ＥＰの筐体外部には、現像処理装置１５にて現像処理及び乾燥処理された印画紙２をオーダ毎に分類するためのソータ１８と、排出口１５ａから排出された印画紙２をソータ１８へ搬送するコンベア１９とが設けられている。
更に、印画紙搬送系ＰＴの搬送経路の途中には、印画紙マガジン１６から引き出された長尺の印画紙２を設定プリントサイズに切断するカッタ２０が備えられている。
【００１７】
〔写真プリントの作製動作〕
次に、上記構成の写真プリントシステムＤＰによる写真プリントの作製動作を概略的に説明する。
オペレータが写真フィルムをフィルムスキャナ３にセットするかあるいはメモリーカードを外部入出力装置４にセットして画像データの取り込み準備が整うと、写真フィルム等からの画像の取り込みが開始され、取込まれた画像データは画像処理装置５へ送られる。
画像処理装置５には、画像データの供給元の種類に応じた画像補正条件が予め登録されており、それを利用して全自動で画像処理することも可能であるが、オペレータが個々の画像を確認しながら、画像処理装置５での補正処理条件を手動設定することもできる。
オペレータがこの補正処理条件の手動設定を選択した場合には、その時点で設定されている補正処理条件での仕上がり画像をシニュレートしたシミュレート画像がモニタ６ａに表示される。オペレータは、操作卓６ｂから前記補正処理条件の設定変更を行うことができ、オペレータが指示入力した補正処理条件の変更操作は、モニタ６ａに表示されているシミュレート画像に反映される。
【００１８】
必要に応じてオペレータが前記補正処理条件の入力操作を行って補正処理条件が確定すると、画像処理装置５はその補正処理条件で入力された画像データを補正処理し、補正処理が完了した画像データを写真プリント装置ＥＰの露光制御装置１４へ送る。
露光制御装置１４は、印画紙２の先端が所定の露光開始位置まで搬送されてくると、画像処理装置５から受け取った画像データによって露光ユニット１３を駆動して、印画紙２上に画像を露光形成する。画像が露光形成された印画紙２は、現像処理装置１５にて現像処理及び換装処理されて写真プリントとして仕上がる。
顧客が写真プリントを作製した画像を記録した記録媒体（ＣＤ−Ｒメディア）の提供を要望したときは、この写真プリントの作製と並行して、画像処理装置５にて補正処理後の高品質の画像データが外部入出力装置４へ送られて、ＣＤ−Ｒメディアに記録される。
この際、主制御装置６は、ＣＤ−Ｒメディアに記録する各画像のサムネール画像（縮小画像）を作製し、そのサムネール画像及び前記画像表示用プログラムを各画像の高品質な画像データと共にＣＤ−Ｒメディアに記録する。
更に、そのＣＤ−Ｒメディアに固有の識別情報を書込む。このＣＤ−Ｒメディアに固有の識別情報は、プリントショップの識別番号と、そのプリントショップにおける一連の連続番号と、作製時刻を組み合わせた文字列として自動的に生成される。
このように画像データ等が記録されることによって作製された顧客に提供するためのＣＤ−Ｒメディアは、仕上がった写真プリントと共に顧客に渡される。尚、顧客の要望によっては、ＣＤ−Ｒメディアのみが渡される場合もある。
【００１９】
〔記録媒体（ＣＤ−Ｒメディア）の閲覧〕
写真プリント及び画像データ等を記録したＣＤ−Ｒメディアを受け取った顧客は、それらを持ち帰り、自己のパーソナルコンピュータにてそのＣＤ−Ｒメディアに記録されている画像を閲覧することができる。
その閲覧のためには、図１に示すように、顧客がプリントショップから受け取ったＣＤ−ＲメディアＭＤを、自己のパーソナルコンピュータＰＣに備えられているＣＤ−ＲメディアＭＤを読取るための読取り装置ＲＤであるＣＤ−ＲＯＭドライブ３１にセットして、そのＣＤ−ＲメディアＭＤに記録されている前記画像表示用プログラムを起動させる。
【００２０】
この画像表示用プログラムが起動すると、パーソナルコンピュータＰＣのモニタ３２に、図４に示すウィンドウが表示される。尚、図４では、既にサムネール画像が表示されている状態を示しているが、起動直後はサムネール画像は表示されず、ウィンドウ内には、サムネール画像を一覧表示させるための「一覧表示」ボタン４１と、ＣＤ−ＲメディアＭＤに記録されている画像（サムネール画像ではない画像）をスライドショー形式で表示させる「スライドショー」ボタン４２と、画像表示用プログラムを終了させる「終了」ボタン４３とが表示されるだけで、サームネール画像の表示欄ＩＡは空白のままである。
【００２１】
前記画像表示用プログラムは、図示を省略するマウスにて「一覧表示」ボタン４１がクリックされて、ＣＤ−ＲＯＭドライブ３１にセットされている読取り対象のＣＤ−ＲメディアＭＤに記録されているサムネール画像を一覧表示させるように指示されると、図５に示す「一覧表示処理」を実行する。
この「一覧表示処理」では、そのときＣＤ−ＲＯＭドライブ３１にセットされているＣＤ−ＲメディアＭＤに記録されているサムネール画像の一覧表示を生成するのであるが、直ちにＣＤ−ＲメディアＭＤからサムネール画像の読出しを開始するのではなく、そのサムネール画像が既にパーソナルコンピュータＰＣに内蔵のハードディスク装置に記録されていないかどうかを調べる。
すなわち、前記画像表示用プログラムは、あるＣＤ−ＲメディアＭＤを初めてパーソナルコンピュータＰＣにセットしてサムネール画像を一覧表示させたときに、読取り装置ＲＤであるＣＤ−ＲＯＭドライブ３１よりもデータの読取り速度がはるかに高速なデータ記録装置であるハードディスク装置にそのサムネール画像を記憶保存しておき、そのＣＤ−ＲメディアＭＤがＣＤ−ＲＯＭドライブ３１から取り出された後に、別のＣＤ−ＲメディアＭＤについて画像の表示等をさせた後であっても、更に同じＣＤ−Ｒメディアが再び読取り装置ＲＤ（ＣＤ−ＲＯＭドライブ３１）にセットされたときに、ハードディスク装置に記憶保存しておいたサムネール画像を読出して一覧表示させるのである。
この際、ＣＤ−ＲＯＭドライブ３１にセットされたＣＤ−ＲメディアＭＤのサムネール画像がハードディスク装置に記録保存されているかどうかを確認するために、ハードディスク装置にサムネール画像を記録したＣＤ−ＲメディアＭＤを一意的に特定するための記録媒体特定用識別情報をハードディスク装置に書込んでいる。
【００２２】
この記録媒体特定用識別情報は、そのＣＤ−ＲメディアＭＤに記録されている情報と設定対応関係を有する情報であり、それによって、ＣＤ−ＲＯＭドライブ３１にセットされたＣＤ−ＲメディアＭＤからの読取り情報とパーソナルコンピュータＰＣのハードディスク装置に記録されている前記記録媒体特定用識別情報とを対比することによって、そのＣＤ−ＲメディアＭＤのサムネール画像がハードディスク装置に記録されているかどうかを識別する。
本実施の形態では、この記録媒体特定用識別情報として、プリントショップにおいてＣＤ−ＲメディアＭＤに画像データ等を記録したときに、併せて書込まれたＣＤ−ＲメディアＭＤに固有の識別情報をそのまま使用している。すなわち、ここでの前記設定対応関係は「一致」ということになる。
尚、パーソナルコンピュータＰＣのハードディスク装置に記録される前記記録媒体特定用識別情報とその記録媒体特定用識別情報に対応するサムネール画像との対応の付け方として種々の方法があるが、本実施の形態では、１つＣＤ−ＲメディアＭＤから読出したサムネール画像を文字列である前記記録媒体特定用識別情報をディレクトリ名とするディレクトリを作製して、そのディレクトリの中に対応するサムネール画像の画像ファイルをまとめて書込んでおくものとして説明する。
【００２３】
以下、図５のフローチャートに従って説明する。
先ず、ＣＤ−ＲメディアＭＤから、そのＣＤ−ＲメディアＭＤに固有の識別情報として記録されている識別情報を読取る（ステップ＃１）。この識別情報は、上述の、ＣＤ−ＲメディアＭＤへの画像データ等の記録時にプリントショップにおいて記録された固有の識別情報であり、プリントショップの識別番号等を組み合わせて生成されたものである。
そのＣＤ−ＲメディアＭＤに固有の識別情報を読取ると、パーソナルコンピュータＰＣに備えられているハードディスク装置内において前記画像表示用プログラムが専用で使用するディレクトリ（以下、単に「専用ディレクトリ」と称する）内を検索し、その固有の識別情報と同じ文字列の名前のディレクトリが存在するかを調べることで、そのＣＤ−ＲメディアＭＤに対応する前記記録媒体特定用識別情報が記録されているかどうかを調べる（ステップ＃２）。
【００２４】
同じ名前のディレクトリが存在せず、前記記録媒体特定用識別情報がハードディスク装置内に記録されていないときは（ステップ＃３）、ＣＤ−ＲメディアＭＤに記録されている全てのサムネール画像を読出し（ステップ＃４）、読出したサムネール画像を前記専用ディレクトリ内に書込んだときのサムネール画像の総記憶量が最大容量として設定している設定量を超えるか否かを判断し（ステップ＃５）、超える場合には、前記設定量内に収まるまで記録順序（記録日時）が古いサムネール画像から順に削除して行く（ステップ＃６）。
このようにして空きのスペースを作成するか、あるいは、空きのスペースが存在することを確認すると、ＣＤ−ＲメディアＭＤから読込んだサムネール画像を専用ディレクトリ内に、そのＣＤ−ＲメディアＭＤに記録されている固有の識別情報の文字列をディレクトリ名とするディレクトリを作製することで、前記記録媒体特定用識別情報として記録すると共に、その作製したディレクトリに読込んだサムネール画像の画像データ（画像ファイル）を書込む（ステップ＃７）。尚、この際、前記画像表示用プログラムの使用自体が全くの初めてであるときは、先に、前記専用ディレクトリを作製する。
すなわち、ＣＤ−ＲメディアＭＤに記録されていたそれに固有の識別情報をそのまま前記記録媒体特定用識別情報として用いている。
【００２５】
一方、ＣＤ−ＲＯＭドライブ３１にセットされているＣＤ−ＲメディアＭＤに固有の識別情報と同じ名前のディレクトリが前記専用ディレクトリ内に存在するときは（ステップ＃３）、そのディレクトリからサムネール画像を読出す（ステップ＃８）。
このようにしてサムネール画像を読出すと、モニタ３２に表示している図４のウィドウ表示において、表示欄ＩＡにサムネール画像を一覧表示させる（ステップ＃９）。
サムネール画像を一覧表示させている状態で、いずれかのサムネール画像をマウスにてダブルクリックされると（ステップ＃１０）、そのダブルクリックされたサームネール画像の本来の画像（サイズの大きい元の画像）をＣＤ−ＲＯＭドライブ３１にセットされているＣＤ−ＲメディアＭＤから読出して、図４のウィンドウの全体を使用して表示させる（ステップ＃１１）。
更に、そのウィンドウに表示されている「戻る」ボタンをマウスにてクリックすると（ステップ＃１２）、図４のサムネール画像の一覧表示に戻る。
尚、図４の表示状態で、ＣＤ−ＲＯＭドライブ３１からＣＤ−ＲメディアＭＤを取り出したり（ステップ＃１３）、あるいは、「スライドショー」ボタン４２や「終了」ボタン４３がクリック操作されると（ステップ＃１４）、表示欄ＩＡのサムネール画像の一覧表示を消去して（ステップ＃１５）、図５の処理を終了する。
【００２６】
「スライドショー」ボタン４２がクリックされたときは、ＣＤ−ＲメディアＭＤからサイズの大きい本来の画像データが読出されて順次に表示欄ＩＡに表示される。
又、「終了」ボタン４３がクリックされたときは、図４のウィンドウを閉じて、前記画像表示用プログラムが終了する。
【００２７】
〔別実施形態〕
以下、本発明の別実施形態を列記する。
（１）上記実施の形態では、ＣＤ−ＲＯＭドライブ３１にセットされたＣＤ−ＲメディアＭＤに対応するサムネール画像が、パーソナルコンピュータＰＣのハードディスク装置内に存在するか否かを特定するための前記記録媒体特定用識別情報として、画像データの書込み時に画像データと共に予め書込まれるＣＤ−ＲメディアＭＤに固有の識別情報をそのまま用いる場合を例示しているが、記録媒体に記録されている、記録媒体における記録領域の管理用情報から前記記録媒体特定用情報を生成して、パーソナルコンピュータＰＣのハードディスク装置に書込むようにしても良い。
ＣＤ−Ｒメディアの場合を例に取って説明すると、ＣＤ−Ｒメディアの仕様では、いわゆるＰＶＤ（基本ボリューム記述子）という記録領域を管理するための情報が書込まれるようになっており、このＰＶＤには、ＣＤ−Ｒの作製時刻（ボリュームの作成時刻）や全データサイズの情報等が含まれ、これらを組み合わせた文字列を生成して前記記録媒体特定用識別情報とするのである。
従って、ＣＤ−ＲメディアＭＤに画像データを記録する際には、上記実施の形態のようなそのＣＤ−ＲメディアＭＤに固有の識別情報を生成して記録する必要はない。
【００２８】
この場合における前記画像表示用プログラムの処理は、フローチャート自体は図５と全く同様であるが、各ステップにおける具体的な処理が若干異なる。
以下において、この別実施形態における処理を図５のフローチャートに沿って説明する。
先ず、ＣＤ−ＲメディアＭＤから、そのＣＤ−ＲメディアＭＤに記録されているＰＶＤ情報を読取り、そのＰＶＤ情報から前記記録媒体特定用識別情報を生成するための設定ルールに従って、前記記録媒体特定用情報に相当する文字列を生成する（ステップ＃１）。
この設定ルールとは、例えば、ＣＤ−Ｒの作製時刻の文字列とデータサイズの文字列とを足し合わせるもので良く、この設定ルールが、ＣＤ−ＲメディアＭＤに記録されている情報と前記記録媒体特定用識別情報との前記設定対応関係を規定する。
次に、パーソナルコンピュータＰＣに備えられているハードディスク装置内において前記画像表示用プログラムが専用で使用するディレクトリ（以下、単に「専用ディレクトリ」と称する）内を検索し、上記の前記記録媒体特定用情報に相当する文字列と同じ文字列の名前のディレクトリが存在するかを調べることで、そのＣＤ−ＲメディアＭＤに対応する前記記録媒体特定用識別情報が記録されているかどうかを調べる（ステップ＃２）。
【００２９】
同じ名前のディレクトリが存在せず、前記記録媒体特定用識別情報がハードディスク装置内に記録されていないときは（ステップ＃３）、ＣＤ−ＲメディアＭＤに記録されている全てのサムネール画像を読出し（ステップ＃４）、読出したサムネール画像を前記専用ディレクトリ内に書込んだときのサムネール画像の総記憶量が最大容量として設定している設定量を超えるか否かを判断し（ステップ＃５）、超える場合には、前記設定量内に収まるまで記録順序（記録日時）が古いサムネール画像から順に削除して行く（ステップ＃６）。
このようにして空きのスペースを作成するか、あるいは、空きのスペースが存在することを確認すると、前記専用ディレクトリ内に、ステップ＃１において生成した前記記録媒体特定用情報に相当する文字列をディレクトリ名とするディレクトリを作製することで、正式に前記記録媒体特定用識別情報として記録すると共に、その作製したディレクトリにＣＤ−ＲメディアＭＤから読込んだサムネール画像の画像データ（画像ファイル）を書込む（ステップ＃７）。尚、この際、前記画像表示用プログラムの使用自体が全くの初めてであるときは、先に、前記専用ディレクトリを作製する。
一方、ステップ＃１で生成した前記記録媒体特定用情報に相当する文字列と同じ名前のディレクトリが前記専用ディレクトリ内に存在するときは（ステップ＃３）、そのディレクトリからサムネール画像を読出す（ステップ＃８）。
ステップ＃９以降の処理の中身は、上記実施の形態と全く共通であり、説明を省略する。
（２）上記実施の形態及び上記別実施形態では、前記記録媒体特定用識別情報とその記録媒体特定用識別情報によって特定される記録媒体に記録されていたサムネール画像の画像データとを対応付けするについて、記録媒体特定用識別情報の文字列をディレクトリ名とするディレクトリ内に対応するサムネール画像を記録する場合を例示しているが、前記記録媒体特定用識別情報とサムネール画像との対応付けは、種々の方法で行うことが可能であり、例えば、任意のディレクトリにサムネール画像を記録すると共に、そのディレクトリと前記記録媒体特定用識別情報との対応関係を別途作成したファイルに記録しておくか、あるいは、各サムネール画像のファイル名を、前記記録媒体特定用識別情報の文字列に更に一連の連続番号を付加した名前として、ハードディスク装置に記録する等しても良い。
【００３０】
（３）上記実施の形態では、画像データや前記画像表示用プログラムを記録する記録媒体としてＣＤ−ＲメディアＭＤを例示しているが、例えばＤＶＤ−Ｒ等の画像データ等を書込み可能な各種のリムーバブルメディアを用いることができる。
（４）上記実施の形態では、ＣＤ−ＲメディアＭＤから読取ったサムネール画像を記録保存しておく高速のデータ記録装置としてハードディスク装置を例示しているが、読取り装置ＲＤ（ＣＤ−ＲＯＭドライブ３１）よりもデータの読取り速度が高速であれば種々の形式のデータ記録装置を利用することができ、例えば、フラッシュメモリ等の書換え可能な不揮発性メモリを用いたデータ記録装置を利用することができる。
（５）上記実施の形態では、データ記録装置であるハードディスク装置に、読取り装置ＲＤにセットされている読取り対象の記録媒体に記録されている情報と設定対応関係を有する記録媒体特定用識別情報が記録されていないときに、前記読取り対象の記録媒体に記録されている情報と前記設定対応関係を有する前記記録媒体特定用識別情報を生成して、その記録媒体特定用識別情報と前記読取り対象の記録媒体から読取ったサムネール画像とを対応付けて前記データ記録装置へ記録保存する処理を、サムネール画像の一覧表示を表示させる処理の中に一体化した場合を例示しているが、サムネール画像の一覧表示を表示させる処理とは独立した処理として組み込んでも良い。
【図面の簡単な説明】
【００３１】
【図１】本発明の実施の形態にかかる画像を閲覧する際の操作を説明する図
【図２】本発明の実施の形態にかかる写真プリントシステムの概略構成図
【図３】本発明の実施の形態にかかる写真プリントシステムの外観斜視図
【図４】本発明の実施の形態にかかる画像を閲覧する際のモニタ表示例を示す図
【図５】本発明の実施の形態及び別実施形態にかかるフローチャート
【符号の説明】
【００３２】
ＭＤ  記録媒体
ＲＤ  読取り装置
３２  モニタ
【図１】
2006285834.tif 000003
【図２】
2006285834.tif 000004
【図３】
2006285834.tif 000005
【図４】
2006285834.tif 000006
【図５】
2006285834.tif 000007